(57)【要約】【課題】ハンドル操作体を軽く操作してスイッチをオンオフさせることができる電気掃除機を提供すること。【解決手段】内部に電動送風機８とスイッチ９と作動体１６を有する掃除機本体２と、この掃除機本体２に設けられた本体操作体１１と、前記掃除機本体２に対し着脱可能な延長ハンドル５と、この延長ハンドル５に設けられたハンドル操作体２４と、前記延長ハンドル５内に設けられた操作杆２３と、前記作動体１６を反スイッチ９側に付勢する付勢手段としての圧縮コイルバネ１７とを有し、前記作動体１６を前記スイッチ９と操作杆２３との間で往復動可能とし、前記スイッチ９に当接する操作部１８を前記作動体１６のスイッチ９側に設け、前記操作杆２３の先端２３Ａが接離可能に当接する第一当接部１９と、前記本体操作体１１の当接部１２が接離可能に当接する第二当接部２０を、反スイッチ９側に向けて前記作動体１６に設ける。【選択図】図２
2014045786.tif 000002
【特許請求の範囲】
【請求項１】
電動送風機を有する掃除機本体と、この掃除機本体内に設けられたスイッチと、前記掃除機本体に設けられた本体操作体と、前記掃除機本体に対し着脱可能に設けられた延長ハンドルと、この延長ハンドルに設けられたハンドル操作体と、前記延長ハンドル内に設けられた操作杆と、前記掃除機本体内に設けられた作動体と、この作動体を反スイッチ側に付勢する付勢手段とを有し、前記作動体が、前記掃除機本体内で、前記スイッチと前記操作杆の先端との間で往復動可能に設けられると共に、前記作動体の前記スイッチ側に、このスイッチに当接する操作部を有し、前記作動体が、反スイッチ側を向いて前記操作杆の先端が当接する第一当接部を有する電気掃除機において、
前記作動体が、反スイッチ側を向いて前記本体操作体の当接部が接離可能に当接する第二当接部を設けたことを特徴とする電気掃除機。
【請求項２】
前記本体操作体及びハンドル操作体をオンの位置で保持する保持手段を設けると共に、これらの保持手段による保持力を、前記付勢手段による付勢力よりも大きくしたことを特徴とする請求項１記載の電気掃除機。
【発明の詳細な説明】
【技術分野】
【０００１】
本発明は、複数の操作部を有する電気掃除機に関するものである。
【背景技術】
【０００２】
従来、この種の電気掃除機としては、ファンモータ（本願発明の電動送風機に相当する）及び電源スイッチが収容された掃除機本体と、この掃除機本体に挿脱自在に取り付けられたハンドルパイプ（本願発明の延長ハンドルに相当する）と、このハンドルパイプの握り部に装備した手元側操作ツマミ（本願発明のハンドル操作体に相当する）と、前記ハンドルパイプ内に装備された連絡杆（本願発明の操作杆に相当する）と、前記掃除機本体に装備された本体側操作ツマミ（本願発明の本体操作体に相当する）と、この本体側操作ツマミに連動して配設され前記電源スイッチのオンオフを行う作動体とを有するものが知られている（例えば、特許文献１参照。）。そして、この電気掃除機は、前記手元側操作ツマミの操作が、前記連絡杆及び作動体を介して前記電源スイッチに伝えられ、この電源スイッチがオンオフするように構成されている。一方、この電気掃除機は、前記本体側操作ツマミの操作が前記作動体を介して前記電源スイッチに伝えられ、この電源スイッチがオンオフするように構成されている。なお、前記作動体と前記本体側操作ツマミは、連動するように構成されている。
【先行技術文献】
【特許文献】
【０００３】
【特許文献１】実開昭６３−６４３３４号公報
【発明の概要】
【発明が解決しようとする課題】
【０００４】
しかしながら、このような電気掃除機は、手元側操作ツマミを操作して電源スイッチをオンオフさせると、前記作動体と前記本体側操作ツマミが連動しているため、この本体側操作ツマミも同時に動かすことになる。このため、前記手元側操作ツマミを操作する場合、操作感が重くなるという問題があった。この問題は、本体側操作ツマミが、節動用突片（本願発明の保持手段に相当する）によってオン状態又はオフ状態を保持できるように構成されている場合、顕著である。
【０００５】
本発明は以上の問題点を解決し、軽い操作感でハンドル操作体を操作して掃除機本体のスイッチをオンオフさせることができる電気掃除機を提供することを目的とする。
【課題を解決するための手段】
【０００６】
本発明の請求項１に記載の電気掃除機は、電動送風機を有する掃除機本体と、この掃除機本体内に設けられたスイッチと、前記掃除機本体に設けられた本体操作体と、前記掃除機本体に対し着脱可能に設けられた延長ハンドルと、この延長ハンドルに設けられたハンドル操作体と、前記延長ハンドル内に設けられた操作杆と、前記掃除機本体内に設けられた作動体と、この作動体を反スイッチ側に付勢する付勢手段とを有し、前記作動体が、前記掃除機本体内で、前記スイッチと前記操作杆の先端との間で往復動可能に設けられると共に、前記作動体の前記スイッチ側に、このスイッチに当接する操作部を有し、前記作動体が、反スイッチ側を向いて前記操作杆の先端が当接する第一当接部を有する電気掃除機において、前記作動体が、反スイッチ側を向いて前記本体操作体の当接部が接離可能に当接する第二当接部を設けたものである。
【０００７】
また、本発明の請求項２に記載の電気掃除機は、請求項１において、前記本体操作体及びハンドル操作体をオンの位置で保持する保持手段を設けると共に、これらの保持手段による保持力を、前記付勢手段による付勢力よりも大きくしたものである。
【発明の効果】
【０００８】
本発明の請求項１に記載の電気掃除機は、以上のように構成することにより、前記ハンドル操作体を操作すると、前記操作杆及び作動体を介して、前記スイッチが操作される。この際、前記作動体がスイッチ側に移動することで、この作動体の反スイッチ側に設けられた前記第二当接部から前記本体操作体の当接部が離れるので、前記作動体と本体操作体とが連動しない。従って、前記ハンドル操作体を操作しても、前記本体操作体が動かないので、前記ハンドル操作体の操作感が重くならないようにすることができる。
【０００９】
なお、前記本体操作体及びハンドル操作体をオンの位置で保持する保持手段を設けると共に、これらの保持手段による保持力を、前記付勢手段による付勢力よりも大きくすれば、使用時に前記本体操作体及びハンドル操作体をオンの位置で保持することができるばかりでなく、前記本体操作体及びハンドル操作体をオフの位置に戻した際に、前記作動体を反スイッチ側に移動させることができる。
【図面の簡単な説明】
【００１０】
【図１】本発明の第一の実施形態を示す電気掃除機の側面図である。
【図２】同、本体操作体及びハンドル操作体が何れもオフの状態における掃除機本体及び延長ハンドルの断面図である。
【図３】同、要部の拡大断面図である。
【図４】同、ハンドル操作体をオン側に動かした状態における掃除機本体及び延長ハンドルの断面図である。
【図５】同、本体操作体をオン側に動かした状態における掃除機本体及び延長ハンドルの断面図である。
【図６】同、本体操作体がオンの状態における掃除機本体の断面図である。
【図７】本発明の第二の実施形態を示す電気掃除機の要部の拡大断面図である。
【図８】同、ハンドル操作体をオン側に動かした状態における要部の拡大断面図である。
【図９】同、本体操作体をオン側に動かした状態における要部の拡大断面図である。
【図１０】本発明の第三の実施形態を示す電気掃除機の要部の拡大断面図である。
【図１１】同、ハンドル操作体をオン側に動かした状態における要部の拡大断面図である。
【図１２】同、本体操作体をオン側に動かした状態における要部の拡大断面図である。
【発明を実施するための形態】
【００１１】
以下、本発明の第一の実施形態について、図１乃至図６に基づいて説明する。なお、以下の説明において、各図の上下を実際の上下として説明する。１はスティック型の電気掃除機である。この電気掃除機１は、掃除機本体２と、この掃除機本体２に対し着脱可能に取り付けられる集塵部３と、この集塵部３に対し着脱可能に取り付けられる吸引ノズル４と、前記掃除機本体２に対し着脱可能に取り付けられる延長ハンドル５とを有して構成される。
【００１２】
前記掃除機本体２の外殻体６には、把持部７が設けられる。また、前記掃除機本体２内には、電動送風機８とスイッチ９が設けられる。また、前記把持部７の上端部には、後述するパイプ部２１が挿入される取付孔１０が形成される。更に、前記把持部７の下端部には、本体操作体１１が外部に露出して上下方向にスライド可能に設けられる。なお、前記本体操作体１１は、前記把持部７よりも下方で露出するようにしても良い。また、前記本体操作体１１は、前記掃除機本体２内に当接部１２を有する。更に、前記本体操作体１１は、前記外殻体６に設けられた係合凹部１３と係合する係合凸部１４を有する。なお、前記係合凹部１３は、前記本体操作体１１を上端位置で保持するための第一凹部１３Ａと、前記本体操作体１１を下端位置で保持するための第二凹部１３Ｂとを有する。そして、これら第二凹部１３Ｂと係合凸部１４とで、保持手段１５が構成される。そして、前記把持部７の基端部の内部には、上下方向に移動可能な作動体１６が設けられる。この作動体１６は、前記掃除機本体２内において、前記スイッチ９よりも上方に設けられる。そして、前記作動体１６は、付勢手段としての圧縮コイルバネ１７によって、上方（反スイッチ９側）に付勢される。なお、前記作動体１６は、その下部（スイッチ９側）に、前記スイッチ９の可動片９Ａに当接する操作部１８を有する。一方、前記作動体１６は、その上部に、上方（反スイッチ９側）を向いて後述する操作杆２３の先端２３Ａが接離可能に当接する第一当接部１９と、上方（反スイッチ９側）を向いて前記本体操作体１１の当接部１２が接離可能に当接する、前記第一当接部１９とは異なる第二当接部２０を有する。
【００１３】
前記延長ハンドル５は、金属製のパイプ部２１と、このパイプ部２１の上端に設けられた把持部２２とを有する。前記パイプ部２１は、前述した通り、前記掃除機本体２の把持部７の上端部に設けられた取付孔１０に対し着脱可能に挿入される。また、前記パイプ部２１内には、このパイプ部２１と同軸状に、操作杆２３が設けられる。なお、この操作杆２３の先端２３Ａは、前記パイプ部２１の先端２１Ａよりも下方に突出する。そして、前記操作杆２３の基端２３Ｂは、前記把持部２２内に位置する。一方、前記把持部２２には、ハンドル操作体２４が外部に露出して上下方向にスライド可能に設けられる。また、このハンドル操作体２４は、前記把持部２２内に連結部２５を有する。更に、前記ハンドル操作体２４は、前記把持部２２に設けられた係合凹部２６と係合する係合凸部２７を有する。なお、前記係合凹部２６は、前記ハンドル操作体２４を上端位置で保持するための第一凹部２６Ａと、前記ハンドル操作体２４を下端位置で保持するための図示しない第二凹部とを有する。そして、これら図示しない係合凹部と係合凸部２７とで、保持手段２８が構成される。そして、前記操作杆２３の基端２３Ｂは、前記連結部２５と連結する。従って、前記操作杆２３は、前記ハンドル操作体２４のスライド動作に連動して、前記パイプ部２１の軸方向に往復動するように構成される。
【００１４】
そして、前記延長ハンドル５のパイプ部２１を前記掃除機本体２の把持部７の取付孔１０に取り付けた状態で、前記操作杆２３の先端２３Ａは、前記作動体１６の第一当接部１９と当接するか、又は僅かな距離を隔てて対向する。一方、前記本体操作体１１の当接部１２も、前記作動体１６の第二当接部２０と当接するか、又は僅かな距離を隔てて対向する。なお、前記本体操作体１１の上下方向の移動可能距離は、前記ハンドル操作体２４の上下方向の移動可能距離と等しい。また、前記保持手段１５による保持力と、前記保持手段２８による保持力も、ほぼ等しい。一方、これらの保持手段１５，２８の保持力は、前記圧縮コイルバネ１７の付勢力よりも大きい。
【００１５】
次に、本実施形態の作用について説明する。まず、使用者は、前記掃除機本体２に前記集塵部３を取り付けると共に、この集塵部３に前記吸引ノズル４を取り付ける。そして、使用者は、必要に応じて、前記掃除機本体２の把持部７に、前記延長ハンドル５を取り付ける。
【００１６】
前記把持部７に前記延長ハンドル５を取り付けた場合、使用者は、この延長ハンドル５の把持部２２を把持した状態で、図４に示すように、前記ハンドル操作体２４を下方にスライドさせる。（なお、便宜上、下方と表現したが、使用時に前記吸引ノズル４より上の部分が傾動可能であるため、前記ハンドル操作体２４は、実際には、多くの場合斜め下方、或いは使用者から見て前方にスライドされることになる。）そして、前記ハンドル操作体２４を下方にスライドさせると、このハンドル操作体２４の連結部２５に連結された前記操作杆２３も、下方にスライドする。そして、この操作杆２３は、その先端２３Ａが前記作動体１６の第一当接部１９に当接することで、前記作動体１６を前記圧縮コイルバネ１７の付勢力に抗して下方、即ち前記スイッチ９側に移動させる。このように、前記作動体１６が前記スイッチ９側に移動すると、この作動体１６の操作部１８は、前記スイッチ９の可動片９Ａに当接して、この可動片９Ａを押す。そして、この可動片９Ａが押されることで、前記スイッチ９はオンとなる。更に、このスイッチ９がオンとなることで、前記電動送風機８は電力が供給されて作動し、吸引気流を発生させる。このように、前記電動送風機８が発生させた吸引気流は、前記吸引ノズル４から前記集塵部３を経て前記掃除機本体２内の電動送風機８に至り、更に、前記掃除機本体２の外に排出される。この際、吸引気流に乗った塵埃は、前記集塵部３において前記吸引気流から分離され、前記集塵部３内に溜められる。一方、塵埃が分離された清浄な吸引気流は、前述した通り、前記電動送風機８を経由して前記掃除機本体２外に排出される。
【００１７】
なお、前記ハンドル操作体２４を下方にスライドさせると、前記係合凸部２７は、前記把持部２２に設けられた前記第一凹部２６Ａとの係合が解除される。そして、前記ハンドル操作体２４は、その可動域の下端まで移動させると、前記係合凸部２７が、前記把持部２２に設けられた図示しない第二凹部と係合する。即ち、前記ハンドル操作体２３は、その可動域下端において、前記保持手段２８によって保持される。また、前記操作杆２３に押されて、前記作動体１６が下方に移動すると、前記圧縮コイルバネ１７は圧縮される。これによって、前記作動体１６は、圧縮された前記圧縮コイルバネ１７から上向きの付勢力を受ける。しかしながら、前述したように、前記保持手段２８による保持力は、前記圧縮コイルバネ１７による付勢力よりも大きく設定される。（正確には、前記スイッチ９は、その内部に、このスイッチ９がオフ状態となるように前記可動片９Ａを戻す方向に付勢する図示しない戻しバネが設けられている。そして、この図示しない戻しバネの付勢力と前記コイルバネ１７の付勢力との和よりも、前記保持手段２８による保持力が大きい。但し、前記戻しバネの付勢力は、前記可動片９Ａを戻すことができる程度で十分なので、前記コイルバネ１７の付勢力に比べて非常に小さい。）従って、この圧縮コイルバネ１７によって前記作動体１６及び操作杆２３が上方に押されても、この操作杆２３に連結された前記ハンドル操作体２４は、上方に押し上げられない。このため、前記スイッチ９の可動片９Ａは、使用者が前記ハンドル操作体２４から手を離しても、前記圧縮コイルバネ１７（及び前記スイッチ９の戻しバネ）の付勢力に抗して、前記作動体１６の操作部１８に押され続けることで、オン状態を維持し続ける。
【００１８】
なお、前記操作杆２３が前記作動体１６の第一当接部１９を押すと、前記本体操作体１１の当接部１２は前記第二当接部２０から離れる。この際、前記本体操作体１１は、その係合凸部１４が前記第一凹部１３Ａと係合した状態のままである。即ち、前記本体操作体１１は、前記作動体１６に連動してスライドすることがない。このため、使用者は、前記ハンドル操作体２４を操作する際に、前記本体操作体１１を操作するのに必要な力を余分に加える必要がない。なお、前記本体操作体１１を操作するのに必要な力とは、具体的には、前記係合凸部１４と第一凹部１３Ａとの係合を解くための力と、前記本体操作体１１と前記外殻体６との間に働く摩擦力に相当する力との和である。従って、本発明の電気掃除機１は、従来の構造に比べ、前記本体操作体１１を操作するのに必要な力の分、軽く操作することができる。
【００１９】
そして、前記保持手段２８の保持力に抗して、前記ハンドル操作体２４を上方にスライドさせると、前記係合凸部２７は、前記把持部２２に設けられた図示しない前記第二凹部との係合が解除される。そして、前記ハンドル操作体２４は、その可動域の上端まで移動させると、前記係合凸部２７が、前記第一凹部２６Ａと係合する。また、前記操作杆２３による押圧が解除されることで、前記圧縮コイルバネ１７が復元すると、前記作動体１６は上方、即ち反スイッチ９側に移動する。そして、前記作動体１６が反スイッチ９側に移動することで、前記スイッチ９がオフとなる。これによって、前記電動送風機８は電力が遮断されて停止する。
【００２０】
一方、前記把持部７に前記延長ハンドル５を取り付けた場合であっても、使用者が前記把持部７を把持すれば、使用者は、図５に示すように、前記本体操作体１１を操作可能になる。また、前記把持部７に前記延長ハンドル５を取り付けない場合、使用者は、前記掃除機本体２の把持部７を把持した状態で、図６に示すように、前記本体操作体１１を下方にスライドさせる。そして、前記本体操作体１１を下方にスライドさせると、この本体操作体１１の当接部１２も下方にスライドする。そして、この当接部１２は、前記作動体１６の第二当接部２０に当接することで、前記作動体１６を前記圧縮コイルバネ１７の付勢力に抗して下方、即ち前記スイッチ９側に移動させる。このように、前記作動体１６が前記スイッチ９側に移動すると、この作動体１６の操作部１８は、前記スイッチ９の可動片９Ａに当接して、この可動片９Ａを押す。そして、この可動片９Ａが押されることで、前記スイッチ９はオンとなる。更に、このスイッチ９がオンとなることで、前記電動送風機８は電力が供給されて作動し、吸引気流を発生させる。このように、前記電動送風機８が発生させた吸引気流は、前記吸引ノズル４から前記集塵部３を経て前記掃除機本体２内の電動送風機８に至り、更に、前記掃除機本体２の外に排出される。この際、吸引気流に乗った塵埃は、前記集塵部３において前記吸引気流から分離され、前記集塵部３内に溜められる。一方、塵埃が分離された清浄な吸引気流は、前述した通り、前記電動送風機８を経由して前記掃除機本体２外に排出される。
【００２１】
なお、前記本体操作体１１を下方にスライドさせると、前記係合凸部１４は、前記外殻体６に設けられた前記第一凹部１３Ａとの係合が解除される。そして、前記本体操作体１１は、その可動域の下端まで移動させると、前記係合凸部１４が、前記第二凹部１３Ｂと係合する。即ち、前記本体操作体１１は、その可動域下端において、前記保持手段１５によって保持される。また、前記当接部１２に押されて、前記作動体１６が下方に移動すると、前記圧縮コイルバネ１７は圧縮される。これによって、前記作動体１６は、圧縮された前記圧縮コイルバネ１７から上向きの付勢力を受ける。しかしながら、前述したように、前記保持手段１５による保持力は、前記圧縮コイルバネ１７による付勢力（正確には、図示しない前記戻しバネの付勢力と前記コイルバネ１７の付勢力との和）よりも大きく設定される。従って、この圧縮コイルバネ１７によって前記作動体１６が上方に押されても、この作動体１６に当接した前記当接部１２を有する本体操作体１１は、上方に押し上げられない。このため、前記スイッチ９の可動片９Ａは、使用者が前記本体操作体１１から手を離しても、前記圧縮コイルバネ１７（及び前記スイッチ９の戻しバネ）の付勢力に抗して、前記作動体１６の操作部１８に押され続けることで、オン状態を維持し続ける。
【００２２】
そして、前記保持手段１５の保持力に抗して、前記本体操作体１１を上方にスライドさせると、前記係合凸部１４は、前記第二凹部１３Ｂとの係合が解除される。そして、前記本体操作体１１は、その可動域の上端まで移動させると、前記係合凸部１４が、前記第一凹部１３Ａと係合する。また、前記当接部１２による押圧が解除されることで、前記圧縮コイルバネ１７が復元すると、前記作動体１６は上方、即ち反スイッチ９側に移動する。そして、前記作動体１６が反スイッチ９側に移動することで、前記スイッチ９がオフとなる。これによって、前記電動送風機８は電力が遮断されて停止する。
【００２３】
以上のように、本発明は、内部に電動送風機８とスイッチ９と作動体１６とを有する掃除機本体２と、この掃除機本体２に設けられた本体操作体１１と、前記掃除機本体２に対し着脱可能に設けられた延長ハンドル５と、この延長ハンドル５に設けられたハンドル操作体２４と、前記延長ハンドル５内に設けられた操作杆２３と、前記作動体１６を反スイッチ９側に付勢する付勢手段としての圧縮コイルバネ１７とを有し、前記作動体１６が、前記掃除機本体２内で、前記スイッチ９と前記操作杆２３の先端２３Ａとの間で往復動可能に設けられ、前記作動体１６の前記スイッチ９側に、このスイッチ９の可動片９Ａに当接する操作部１８を設けると共に、前記操作杆２３の先端２３Ａが接離可能に当接する第一当接部１９と、前記本体操作体１１の当接部１２が接離可能に当接する第二当接部２０とを、それぞれ前記作動体１６に反スイッチ９側を向くように設けたことで、前記ハンドル操作体２４を操作して前記操作杆２３及び作動体１６を前記スイッチ９側に移動させても、反スイッチ９側を向いた前記第二当接部２０から前記当接部１２が離れて、前記作動体１６と本体操作体１１とが連動せず、この本体操作体１１が動かないので、前記ハンドル操作体２４の操作感が重くならないようにすることができるものである。
【００２４】
また、本発明は、前記本体操作体１１及びハンドル操作体２４をオンの位置で保持する保持手段１５，２８を設けると共に、これらの保持手段１５，２８による保持力を、前記圧縮コイルバネ１７による付勢力よりも大きくしたことで、使用時に前記本体操作体１１及びハンドル操作体２４をオンの位置で保持することができるばかりでなく、前記本体操作体１１及びハンドル操作体２４をオフの位置に戻した際に、前記作動体１６を反スイッチ９側に戻すことができるものである。
【００２５】
次に、本発明の第二の実施形態について、図７乃至図９に基づいて説明する。なお、第一の実施形態と共通する要素には共通の符号を付し、その説明を省略する。掃除機本体３０の外殻体３１には、把持部３２が設けられる。また、前記掃除機本体３０内には、電動送風機８とスイッチ９が設けられる。また、前記把持部３２の上端部には、延長ハンドル５のパイプ部２１が挿入される取付孔が形成される。更に、前記把持部３２の下端部には、本体操作体３３が外部に露出して上下方向にスライド可能に設けられる。なお、前記本体操作体３３は、前記把持部３２よりも下方で露出するようにしても良い。また、前記本体操作体３３は、前記掃除機本体３０内に当接部３４を有する。更に、前記本体操作体３３は、前記外殻体３１に設けられた係合凹部３５と係合する係合凸部３６を有する。なお、前記係合凹部３５は、前記本体操作体３３を上端位置で保持するための第一凹部３５Ａと、前記本体操作体３３を下端位置で保持するための第二凹部３５Ｂとを有する。そして、これら第二凹部３５Ｂと係合凸部３６とで、保持手段３７が構成される。そして、前記把持部３２の基端部の内部には、上下方向に移動可能な作動体３８が設けられる。この作動体３８は、前記掃除機本体３０内において、前記スイッチ９よりも上方に設けられる。そして、前記作動体３８は、付勢手段としての圧縮コイルバネ１７によって、上方（反スイッチ９側）に付勢される。なお、前記作動体３８は、その下部（スイッチ９側）に、前記スイッチ９の可動片９Ａに当接する操作部３９を有する。一方、前記作動体３８は、その上部に、上方（反スイッチ９側）を向いて前記延長ハンドル５のパイプ部２１内を摺動可能な操作杆２３の先端２３Ａが当接する第一当接部４０を有する。更に、前記作動体３８は、前記本体操作体３３側の側面に切欠部４１を有する。そして、この切欠部４１の下端には、上方（即ち反スイッチ９側）を向いて前記本体操作体３３の当接部３４が接離可能に当接する、前記第一当接部４０とは異なる第二当接部４２を有する。また、前記切欠部４１の上端には、下向きの対向面４３を有する。そして、前記第二当接部４２から前記対向面４３までの距離、即ち前記切欠部４１の上下方向寸法は、前記本体操作体３３の移動可能距離と前記当接部３４の上下方向寸法との和以上に構成される。
【００２６】
そして、前記延長ハンドル５のパイプ部２１を前記掃除機本体３０の把持部３２の取付孔に取り付けた状態で、前記操作杆２３の先端２３Ａは、前記作動体３８の第一当接部４０と当接するか、又は僅かな距離を隔てて対向する。一方、前記本体操作体３３の当接部３４も、前記作動体３８の第二当接部４２と当接するか、又は僅かな距離を隔てて対向する。なお、前記本体操作体３３の上下方向の移動可能距離は、前記ハンドル操作体２４の上下方向の移動可能距離と等しい。また、前記保持手段３７による保持力と、前記保持手段２８による保持力も、ほぼ等しい。一方、これらの保持手段３７，２８の保持力は、前記圧縮コイルバネ１７の付勢力よりも大きい。
【００２７】
このように構成しても、前記ハンドル操作体２４を下方にスライドさせて、前記操作杆２３によって前記作動体３８を下方に押し下げると、前記本体操作体３３の当接部３４は前記作動体３８から離れる。また、前記ハンドル操作体２４をその可動域の下端まで移動させても、前記対向面４３は前記当接部３４を押圧しない。従って、前記ハンドル操作体２４を下方にスライドさせたとしても、前記本体操作体３３は下方にスライドしない。また、前記保持手段３７による保持力が、前記圧縮コイルバネ１７による付勢力（と、前記スイッチ９の図示しない戻しバネの付勢力との和）よりも大きく設定されることで、前記スイッチ９の可動片９Ａは、使用者が前記本体操作体３３から手を離しても、前記圧縮コイルバネ１７（及び前記スイッチ９の戻しバネ）の付勢力に抗して、前記作動体３８の操作部３９に押され続けることで、オン状態を維持し続ける。同様に、前記保持手段２８による保持力が、前記圧縮コイルバネ１７による付勢力（と、前記スイッチ９の図示しない戻しバネの付勢力との和）よりも大きく設定されることで、前記スイッチ９の可動片９Ａは、使用者が前記ハンドル操作体２４から手を離しても、前記圧縮コイルバネ１７（及び前記スイッチ９の戻しバネ）の付勢力に抗して、前記作動体３８の操作部３９に押され続けることで、オン状態を維持し続ける。従って、第二の実施形態も、第一の実施形態と同様の作用及び効果を有する。
【００２８】
次に、本発明の第三の実施形態について、図１０乃至図１２に基づいて説明する。なお、上記各実施形態と共通する要素には共通の符号を付し、その説明を省略する。掃除機本体５０の外殻体５１には、把持部５２が設けられる。また、前記掃除機本体５０内には、電動送風機８とスイッチ９が設けられる。また、前記把持部５２の上端部には、延長ハンドル５のパイプ部２１が挿入される取付孔が形成される。更に、前記把持部５２の下端部には、本体操作体５３が外部に露出して上下方向にスライド可能に設けられる。なお、前記本体操作体５３は、前記把持部５２よりも下方で露出するようにしても良い。また、前記本体操作体５３は、前記掃除機本体３０内に当接部５４を有する。なお、この当接部５４の先端部には、前記延長ハンドル５のパイプ部２１内を摺動可能な操作杆２３の太さよりも間隔の広い切欠部５５が形成される。なお、この切欠部５５は、前記操作杆２３の太さよりも内寸の広い貫通孔であっても良い。更に、前記本体操作体５３は、前記外殻体５１に設けられた係合凹部５６と係合する係合凸部５７を有する。なお、前記係合凹部５６は、前記本体操作体５３を上端位置で保持するための第一凹部５６Ａと、前記本体操作体５３を下端位置で保持するための第二凹部５６Ｂとを有する。そして、これら第二凹部５６Ｂと係合凸部５７とで、保持手段５８が構成される。そして、前記把持部５２の基端部の内部には、上下方向に移動可能な作動体５９が設けられる。この作動体５９は、前記掃除機本体５０内において、前記スイッチ９よりも上方に設けられる。そして、前記作動体５９は、付勢手段としての圧縮コイルバネ１７によって、上方（反スイッチ９側）に付勢される。なお、前記作動体５９は、その下部（スイッチ９側）に、前記スイッチ９の可動片９Ａに当接する操作部６０を有する。一方、前記作動体５９は、その上部に、上方（反スイッチ９側）を向いて前記操作杆２３の先端２３Ａが当接する第一当接部６１と、上方（反スイッチ９側）を向いて前記本体操作体５３の当接部５４が接離可能に当接する第二当接部６２を有する。なお、前記第一当接部６１と第二当接部６２は、前記作動体５９の同一面上に設けられる。また、前記操作杆２３の先端２３Ａは、前記当接部５４の切欠部５５（又は貫通孔）内に位置する。
【００２９】
そして、前記延長ハンドル５のパイプ部２１を前記掃除機本体５０の把持部５２の取付孔に取り付けた状態で、前記操作杆２３の先端２３Ａは、前記作動体５９の第一当接部６１と当接するか、又は僅かな距離を隔てて対向する。一方、前記本体操作体５３の当接部５４も、前記作動体５９の第二当接部６２と当接するか、又は僅かな距離を隔てて対向する。なお、前記本体操作体５３の上下方向の移動可能距離は、前記ハンドル操作体２４の上下方向の移動可能距離と等しい。また、前記保持手段５８による保持力と、前記保持手段２８による保持力も、ほぼ等しい。一方、これらの保持手段５８，２８の保持力は、前記圧縮コイルバネ１７の付勢力よりも大きい。
【００３０】
このように構成しても、前記ハンドル操作体２４を下方にスライドさせて、前記操作杆２３によって前記作動体５９を下方に押し下げると、前記本体操作体５３の当接部５４は前記作動体５９から離れる。従って、前記ハンドル操作体２４を下方にスライドさせたとしても、前記本体操作体５３は下方にスライドしない。また、前記保持手段５８による保持力が、前記圧縮コイルバネ１７による付勢力（と、前記スイッチ９の図示しない戻しバネの付勢力との和）よりも大きく設定されることで、前記スイッチ９の可動片９Ａは、使用者が前記本体操作体５３から手を離しても、前記圧縮コイルバネ１７（及び前記スイッチ９の戻しバネ）の付勢力に抗して、前記作動体５９の操作部６０に押され続けることで、オン状態を維持し続ける。同様に、前記保持手段２８による保持力が、前記圧縮コイルバネ１７による付勢力（と、前記スイッチ９の図示しない戻しバネの付勢力との和）よりも大きく設定されることで、前記スイッチ９の可動片９Ａは、使用者が前記ハンドル操作体２４から手を離しても、前記圧縮コイルバネ１７（及び前記スイッチ９の戻しバネ）の付勢力に抗して、前記作動体５９の操作部６０に押され続けることで、オン状態を維持し続ける。従って、第三の実施形態も、上記各実施形態と同様の作用及び効果を有する。
【００３１】
なお、本発明は以上の実施形態に限定されるものではなく、発明の要旨の範囲内で種々の変形実施が可能である。例えば、上記各実施形態では、下方がスイッチ側、上方が反スイッチ側であるが、作動体の移動方向を変換することができれば、下方がスイッチ側、上方が反スイッチ側でなくてもよい。
【符号の説明】
【００３２】
１  電気掃除機
２，３０，５０  掃除機本体
５  延長ハンドル
８  電動送風機
９  スイッチ
１１，３３，５３  本体操作体
１２，３４，５４  当接部
１５，３７，５８  保持手段
１６，３８，５９  作動体
１７  圧縮コイルバネ（付勢手段）
１８，３９，６０  操作部
１９，４０，６１  第一当接部
２０，４２，６２  第二当接部
２３  操作杆
２３Ａ  先端
２４  ハンドル操作体
２８  保持手段
【図１】
2014045786.tif 000003
【図２】
2014045786.tif 000004
【図３】
2014045786.tif 000005
【図４】
2014045786.tif 000006
【図５】
2014045786.tif 000007
【図６】
2014045786.tif 000008
【図７】
2014045786.tif 000009
【図８】
2014045786.tif 000010
【図９】
2014045786.tif 000011
【図１０】
2014045786.tif 000012
【図１１】
2014045786.tif 000013
【図１２】
2014045786.tif 000014